(57)【要約】【課題】コネクタを引出可能に収容する雌実側コネクタ収容凹部の深さが浅くなった場合でも、実接合したときに膨れが発生しない床暖房パネルを提供する。【解決手段】パネル基材１１及び裏板１５からなるパネル本体１０と、パネル本体１０に内蔵される線ヒータ２０と、線ヒータ２０に結線された状態でパネル本体１０を横断する電源線３０と、電源線３０の両端に接続されたコネクタ４０ａ、４０ｂとから構成されており、パネル基材１１の裏面側には、コネクタ４０ａ、４０ｂをそれぞれ収容するための雄実側コネクタ収容凹部１２及び雌実側コネクタ収容凹部１３が形成されている。コネクタ４０ｂをパネル基材１１から引出可能に収容する雌実側コネクタ収容凹部１３には、その上面に補強板１４が固着されており、パネル基材１１の長辺側の雄実１１ｂは、雌実側コネクタ収容凹部１３に対応する部分が切除されている。【選択図】　　　　図２
2004085119.tif 000002
【特許請求の範囲】
【請求項１】
木質板によって形成されたパネル本体と、
このパネル本体に内蔵される電気ヒータと、
この電気ヒータに結線された状態で前記パネル本体を横断する電源線と、
この電源線の両端にそれぞれ接続されたコネクタとを備え、
一方の前記コネクタは、前記パネル本体における雄実を有する一方の端縁側に形成された雄実側コネクタ収容凹部に収容された状態で固定設置されており、
他方の前記コネクタは、前記パネル本体における雌実を有する他方の端縁側に形成された、上面に補強板が固着された雌実側コネクタ収容凹部に、引出可能に収容されており、
前記パネル本体における前記雄実を有する一方の端縁は、前記雌実側コネクタ収容凹部に対応する部分について、前記雄実が切除されていることを特徴とする床暖房パネル。
【発明の詳細な説明】
【０００１】
【発明の属する技術分野】
この発明は、パネル本体に電気ヒータが内蔵された床暖房パネル、特に、電気ヒータに結線された電源線の両端部にそれぞれコネクタが接続されている床暖房パネルに関する。
【０００２】
【従来の技術】
この種の床暖房パネルとしては、図６に示すようなものがある。この床暖房パネル５０は、同図に示すように、平面形状が長方形のパネル本体５１に所定のヒータパターンで布線された線ヒータ５２が内蔵されていると共に、この線ヒータ５２に接続される電源線５３がパネル本体５１の短手方向を横断するように配設されており、この電源線５３の両端部にはそれぞれコネクタ５４、５５が接続されている。
【０００３】
一方のコネクタ５４は、図７（ａ）、（ｂ）に示すように、パネル本体５１における雄実５１ａを有する一方の端縁側に形成された雄実側コネクタ収容凹部５６に収容された状態で固定設置されており、他方のコネクタ５５は、図８（ａ）〜（ｃ）に示すように、パネル本体５１における雌実５１ｂを有する他方の端縁側に形成された雌実側コネクタ収容凹部５７に、パネル本体５１から引出可能に収容されている。
【０００４】
雄実５１ａにおける雄実側コネクタ収容凹部５６に対応する部分は、図７（ａ）に示すように、雄実側コネクタ収容凹部５６の幅で切除されており、雄実側コネクタ収容凹部５６に収容固定されるコネクタ５４は、その先端部が雄実５１ａの先端縁まで張り出している。
【０００５】
また、雌実側コネクタ収容凹部５７は、図８（ａ）〜（ｃ）に示すように、コネクタ５５の引出作業や収納作業を円滑に行うことができるように、コネクタ５４が固定設置される雄実側コネクタ収容凹部５６に比べて、その幅及び奥行きが大きく設定されており、厚みが薄くなった、パネル本体５１における雌実側コネクタ収容凹部５７の形成部分の強度低下を防止するために、雌実側コネクタ収容凹部５７の上面には、その略全面を覆う、合成樹脂または金属によって形成された補強板５８が固着されている。
【０００６】
また、雌実側コネクタ収容凹部５７は、固着された補強板５８の下面５８ａと、雌実５１ｂの上部内面とが面一になるように、その深さが設定されており、図９（ａ）に示すように、隣接する一方の床暖房パネル５０のコネクタ５４と他方の床暖房パネル５０のコネクタ５５とを接続した状態で、双方の床暖房パネル５０、５０を相互に実接合すると、同図（ｂ）に示すように、一方の床暖房パネル５０におけるコネクタ５４の両側に位置している雄実５１ａの一部が、他方の床暖房パネル５０における雌実側コネクタ収容凹部５７に固着された補強板５８との間にほとんど隙間が生じない状態で、雌実側コネクタ収容凹部５７内に侵入するようになっている。
【０００７】
【発明が解決しようとする課題】
ところで、上述した雌実側コネクタ収容凹部５７は、雄実５１ａ及び雌実５１ｂが形成されたパネル本体５１の裏面側から、ＮＣルータ等を用いて切削加工することによって形成されるが、パネル本体５１自体の厚さにバラツキがあると、形成される雌実側コネクタ収容凹部５７の深さにバラツキが生じることになり、特に、雌実側コネクタ収容凹部５７の深さが浅くなった場合は、図１０に示すように、雌実側コネクタ収容凹部５７に固着された補強板５８の下面５８ａが、雌実５１ｂの上部内面より下側に張り出すことになるので、隣接する床暖房パネル５０、５０を相互に実接合すると、図１１（ａ）に網掛けで示すように、雌実側コネクタ収容凹部５７における雄実５１ａが進入した部分に、同図（ｂ）に示すような膨れが発生するといった問題がある。
【０００８】
そこで、この発明の課題は、コネクタを引出可能に収容する雌実側コネクタ収容凹部の深さが浅くなった場合でも、実接合したときに膨れが発生しない床暖房パネルを提供することにある。
【０００９】
【課題を解決するための手段及びその効果】
上記の課題を解決するため、この発明は、木質板によって形成されたパネル本体と、このパネル本体に内蔵される電気ヒータと、この電気ヒータに結線された状態で前記パネル本体を横断する電源線と、この電源線の両端にそれぞれ接続されたコネクタとを備え、一方の前記コネクタは、前記パネル本体における雄実を有する一方の端縁側に形成された雄実側コネクタ収容凹部に収容された状態で固定設置されており、他方の前記コネクタは、前記パネル本体における雌実を有する他方の端縁側に形成された、上面に補強板が固着された雌実側コネクタ収容凹部に、引出可能に収容されており、前記パネル本体における前記雄実を有する一方の端縁は、前記雌実側コネクタ収容凹部に対応する部分について、前記雄実が切除されていることを特徴とする床暖房パネルを提供するものである。
【００１０】
以上のように、この床暖房パネルでは、パネル本体における雄実を有する一方の端縁は、雌実側コネクタ収容凹部に対応する部分について、雄実が切除されているので、床暖房パネル同士を実接合したときに、一方の床暖房パネルの雌実側コネクタ収容凹部に、他方の床暖房パネルの雄実が進入することがない。
【００１１】
従って、パネル本体に形成された雌実側コネクタ収容凹部の深さが浅いために、雌実側コネクタ収容凹部の上面に固着された補強板が、雌実の上部内面から下方側に張り出しているような場合であっても、床暖房パネル同士の実接合部分に膨れが発生することがなく、常に、適正な状態で床暖房パネルを敷設することが可能となる。
【００１２】
【発明の実施の形態】
以下、実施の形態について図面を参照して説明する。図１〜図３に示すように、この床暖房パネル１は、長方形状のパネル本体１０と、このパネル本体１０に内蔵される線ヒータ２０と、この線ヒータ２０に結線された状態でパネル本体１０をその短手方向に横断する電源線３０と、この電源線３０の両端にそれぞれ接続されたコネクタ４０ａ、４０ｂとから構成されている。
【００１３】
前記パネル本体１０は、表面に突板等の表面化粧材（図示せず）が貼着された、３プライ合板または５プライ合板等の木質板からなるパネル基材１１と、このパネル基材１１の裏面側に形成された嵌合凹部に嵌め込まれる、合板や中質繊維板（ＭＤＦ）等からなる裏板１５とから構成されており、前記パネル基材１１の表面には、長手方向に伸びる３本の擬似溝１１ａが一定間隔で形成されていると共に、その端面には、実接合するための雄実１１ｂまたは雌実１１ｃが形成されている（図１（ａ）及び図３（ａ）参照）。
【００１４】
前記パネル基材１１の裏面側には、図２（ａ）に示すような所定のヒータパターンで布線される線ヒータ２０を収容するためのヒータ収容溝１１ｄ及び電源線３０を収容するための電源線収容溝１１ｅがそれぞれ形成されており、ヒータ収容溝１１ｄ及び電源線収容溝１１ｅは、線ヒータ２０及び電源線３０がそれぞれ収容された状態で、裏板１５により閉塞されるようになっている（図３（ａ）、（ｂ）参照）。
【００１５】
また、パネル基材１１の裏面側には、図２（ａ）〜（ｃ）に示すように、その長辺部分に前記コネクタ４０ａ、４０ｂをそれぞれ収容するための雄実側コネクタ収容凹部１２及び雌実側コネクタ収容凹部１３が形成されており、裏板１５は、図１（ｂ）及び図３（ｂ）に示すように、雄実側コネクタ収容凹部１２及び雌実側コネクタ収容凹部１３に対応する部分が切り欠かれている。
【００１６】
一方のコネクタ４０ａは、雄実側コネクタ収容凹部１２に収容された状態で固定設置されているが、他方のコネクタ４０ｂは、図２（ｃ）及び図４（ａ）に示すように、パネル基材１１から引出可能に雌実側コネクタ収容凹部１３内に収容されており、この床暖房パネル１を敷設する際は、床暖房パネル１の雌実側コネクタ収容凹部１３からコネクタ４０ｂを引き出して、既に敷設されている床暖房パネル１のコネクタ４０ａに接続した後、コネクタ４０ｂを雌実側コネクタ収容凹部１３に再度収容しながら、床暖房パネル１同士を相互に実接合することになる（図４参照）。
【００１７】
雌実側コネクタ収容凹部１３には、上述したように、電源線３０の一部を屈曲させた状態でコネクタ４０ｂと共に収容しなければならないので、図２（ｂ）、（ｃ）に示すように、雌実側コネクタ収容凹部１３は、雄実側コネクタ収容凹部１２に比べてその幅及び奥行きが大きくなっており、図３（ｂ）に示すように、パネル基材１１における、厚みが薄くなった雌実側コネクタ収容凹部１３の形成部分の強度を確保するために、雌実側コネクタ収容凹部１３の上面１３ａには、アルマイト仕上げ（絶縁処理済み）のアルミニウムによって形成された補強板１４が固着されている。なお、雌実側コネクタ収容凹部１３は、固着された補強板１４の下面１４ａと、雌実１１ｃの上部内面とが略面一になるように、その深さが設定されている。
【００１８】
雄実側コネクタ収容凹部１２が形成されているパネル基材１１の長辺側の雄実１１ｂは、図２（ｂ）及び図３（ｂ）に示すように、雌実側コネクタ収容凹部１３に対応する部分が、雌実側コネクタ収容凹部１３の幅と同一幅で切除されており、コネクタ４０ａは、その先端部が雄実１１ｂの先端縁まで張り出した状態で、雄実側コネクタ収容凹部１２に収容固定されている。
【００１９】
以上のように、この床暖房パネル１では、パネル基材１１の長辺側の雄実１１ｂは、雌実側コネクタ収容凹部１３に対応する部分が、雌実側コネクタ収容凹部１３の幅と同一幅で切除されているので、図４（ａ）、（ｂ）に示すように、床暖房パネル１、１同士を実接合したときに、一方の床暖房パネル１の雌実側コネクタ収容凹部１３に、他方の床暖房パネル１の雄実１１ｂが進入することがなく、パネル基材１１に形成された雌実側コネクタ収容凹部１３の深さが浅くなっていたために、雌実側コネクタ収容凹部１３の上面に固着された補強板１４が、雌実１１ｃの上部内面から下方側に張り出しているような場合であっても、床暖房パネル１、１同士の実接合部分に膨れが発生することがなく、常に、適正な状態で床暖房パネル１を敷設することが可能となる。
【００２０】
なお、上述した実施形態では、雄実側コネクタ収容凹部１２が形成されているパネル基材１１の長辺側の雄実１１ｂが、雌実側コネクタ収容凹部１３の幅と同一幅で切除されているが、これに限定されるものではなく、雄実１１ｂの切除部の幅は、雌実側コネクタ収容凹部１３の幅より大きくすることも可能である。ただし、床暖房パネル１、１を相互に実接合したときに、雌実側コネクタ収容凹部１３に雄実１１ｂが進入しないように、少なくとも、雌実側コネクタ収容凹部１３に対応する部分の雄実１１ｂが完全に切除されなければならないことはいうまでもない。
【００２１】
また、上述した各実施形態では、パネル基材１１における雌実側コネクタ収容凹部１３の形成部分を補強するために、アルミニウム製の補強板１４を使用しているが、これに限定されるものではなく、アルミニウム以外の金属や合成樹脂によって形成された補強板を使用することも可能である。
【００２２】
また、上述した実施形態では、単なる板状の補強板１４を使用しているが、これに限定されるものではなく、例えば、図５に示すように、板状の本体部１４Ａの両側縁に脚片１４Ｂがそれぞれ連設された門型形状の補強板を使用することも可能であり、こういった門型形状の補強板を使用する場合は、脚片１４Ｂをパネル基材１１の下端部まで延しておくことが望ましい。
【００２３】
また、上述した実施形態では、パネル本体１０に線ヒータ２０を内蔵した場合について説明したが、本発明の床暖房パネルは、線ヒータに限定されるものではなく、自己温度制御特性を有する面状発熱体のような種々の電気ヒータを使用することが可能である。
【００２４】
また、上述した実施形態では、捨貼合板等の上に敷設する捨て貼りタイプの床暖房パネルについて説明したが、本発明は、例えば、パネル本体１０を構成する裏板１５に代えてクッション性の良好な緩衝材を貼着した直貼りタイプの床暖房パネル等についても適用することができる。
【００２５】
また、上述した実施形態は、パネル本体１０が長方形状の床暖房パネルであるが、本発明の床暖房パネルは、こういった形状に限定されるものではなく、パネル本体が雁行形状の床暖房パネルについても適用することができることは言うまでもない。
【図面の簡単な説明】
【図１】（ａ）はこの発明にかかる床暖房パネルの一実施形態を示す平面図、（ｂ）は同上の床暖房パネルを示す裏面図である。
【図２】（ａ）は同上の床暖房パネルにおける裏板を外した状態を示す裏面図、（ｂ）は同上の床暖房パネルにおける雄実側コネクタ収容凹部付近を示す拡大裏面図、（ｃ）は同上の床暖房パネルにおける雌実側コネクタ収容凹部付近を示す拡大裏面図である。
【図３】（ａ）は図１（ａ）のＸ−Ｘ線に沿った断面図、（ｂ）は図１（ａ）のＹ−Ｙ線に沿った断面図である。
【図４】（ａ）は同上の床暖房パネルの実接合部分を示す拡大平面図、（ｂ）は（ａ）のＺ−Ｚ線に沿った断面図である。
【図５】同上の床暖房パネルに使用されている補強板の変形例を示す斜視図である。
【図６】従来の床暖房パネルを示す平面図である。
【図７】（ａ）は同上の床暖房パネルにおける雄実側コネクタ収容凹部付近を示す拡大平面図、（ｂ）は（ａ）のＴ−Ｔ線に沿った断面図である。
【図８】（ａ）は同上の床暖房パネルにおける雌実側コネクタ収容凹部付近を示す拡大平面図、（ｂ）は（ａ）のＵ−Ｕ線に沿った断面図、（ｃ）はコネクタを引き出した状態を示す断面図である。
【図９】（ａ）は同上の床暖房パネル同士の実接合部分を示す拡大平面図、（ｂ）は（ａ）のＶ−Ｖ線に沿った断面図である。
【図１０】同上の床暖房パネルにおける雌実側コネクタ収容凹部の深さが浅くなった状態を示す断面図である。
【図１１】（ａ）は同上の床暖房パネル同士の実接合部分を示す拡大平面図、（ｂ）は（ａ）のＷ−Ｗ線に沿った断面図である。
【符号の説明】
１　床暖房パネル
１０　パネル本体
１１　パネル基材
１１ｂ　雄実
１１ｃ　雌実
１１ｄ　ヒータ収容溝
１１ｅ　電源線収容溝
１２　雄実側コネクタ収容凹部
１３　雌実側コネクタ収容凹部
１４　補強板
１５　裏板
２０　線ヒータ
３０　電源線
４０ａ、４０ｂ　コネクタ
【図１】
2004085119.tif 000003
【図２】
2004085119.tif 000004
【図３】
2004085119.tif 000005
【図４】
2004085119.tif 000006
【図５】
2004085119.tif 000007
【図６】
2004085119.tif 000008
【図７】
2004085119.tif 000009
【図８】
2004085119.tif 000010
【図９】
2004085119.tif 000011
【図１０】
2004085119.tif 000012
【図１１】
2004085119.tif 000013